(57)【特許請求の範囲】
【請求項１】
電気的な装置であって、
第１の支持部分（１）を有しており、該支持部分が支持壁（４）を備えており、支持壁に、電気的若しくは電子的な構成部材（３）並びに、該構成部材（３）と電気的に接続されかつ支持壁（４）に対して実質的に平行に延びる金属性の導体部材（５）が配置されており、
第１の支持部分（１）に取り付け可能な第２の支持部分（２）を有しており、該第２の支持部分が電子的な回路部分（６）を備えており、かつ
回路部分（６）と支持壁（４）に配置された導体部材（５）との電気的な接続のための接触部材（７）を有している形式のものにおいて、
接触部材（７）が第２の支持部分（２）に固定されていて、かつ支持壁（４）に対して垂直な方向で第１の支持部分（１）の導体部材（５）に、クランプ接触によって直接に電気的及び機械的に次のように接続され、つまり、接触部材（７）のクランプ脚部（１７）が塑性変形されて、導体部材（５）の接触区分（５′）に気密に接触され、この場合に第１の支持部分（１）に第２の支持部分（２）を取り付けることによって、第１の支持部分（１）と第２の支持部分（２）とから成るケーシング部分の組立、並びに電気的な接触が行われるようになっており、かつ前記ケーシング部分に電子的な回路部分（６）を収容する閉じたケーシング内室（２２）が形成されていることを特徴とする電気的な装置。
【請求項２】
接触部材（７）の、導体部材（５）へ向かって延びる区分（１７）が、導体部材（５）に垂直に被せはめ可能なクランプ接点を有している請求項１記載の電気的な装置。
【請求項３】
クランプ接点が、２つのクランプ脚部（１７）で以てフォーク状に形成されており、両方のクランプ脚部間の間隔が導体部材（５）の、該クランプ脚部（１７）と摩擦力結合すべき接触区分（５′）の幅よりもわずかに小さく規定されている請求項２記載の電気的な装置。
【請求項４】
クランプ接点（１７）が塑性変形可能であって、導体部材（５）の接触区分（５′）に気密に接触させられるようになっている請求項１から３のいずれか１項記載の電気的な装置。
【請求項５】
支持壁（４）が切欠き（１４）を有しており、該切欠き内に接触部材（７）の、支持壁（４）へ向かって延びる区分（１７）が、導体部材（５）の接触区分（５′）との接触のために差し込まれるようになっている請求項１から４のいずれか１項記載の電気的な装置。
【請求項６】
支持壁（４）の切欠き（１４）が案内を形成しており、該案内が接触部材（７）の、切欠き（１４）内に差し込まれた区分（１７）を、支持壁（４）に対して水平な方向で取り囲んでおり、これによって接触部材（７）が導体部材（５）の長手方向でのずれに対して確実に保持されている請求項５記載の電気的な装置。
【請求項７】
切欠き（１４）が、導体部材（５）に対して平行に延びる横ウエブ（４０）を備えており、導体部材（５）の接触区分（５′）が横ウエブ（４０）の、第２の支持部分（２）へ向けられた側に接触している請求項５記載の電気的な装置。
【請求項８】
支持壁（４）がプラスチックから成っていて、格子状打ち抜き加工部分として形成されかつ該支持壁内に埋め込まれた導体部材（５）を備えており、この場合、導体部材（５）の接触区分（５′，１５）がプラスチックから成る被覆を少なくとも部分的に除去されている請求項１から７のいずれか１項記載の電気的な装置。
【請求項９】
電気的若しくは電子的な構成部材（３）が、支持壁（４）の、第２の支持部分（２）と逆の側に配置されている請求項１から８のいずれか１項記載の電気的な装置。
【請求項１０】
第１の支持部分（１）が支持壁（４）の、第２の支持部分（２）と逆の側に第１の受容部（２０）を有しており、該受容部に電気的若しくは電子的な構成部材（３）が配置されている請求項９記載の電気的な装置。
【請求項１１】
電子的な回路部分（６）が第２の支持部分（２）の、第１の支持部分（１）へ向けられた側に配置されている請求項９項記載の電気的な装置。
【請求項１２】
第２の支持部分（２）が第１の支持部分（１）に載置されるようになっており、これによって、電子的な回路部分（６）を収容する閉じたケーシング内室（２２）が形成されている請求項１１記載の電気的な装置。
【請求項１３】
ケーシング内室（２２）が第１の支持部分（１）と第２の支持部分（２）との間に配置されたシール（１９）によって外部に対して密閉されている請求項１２記載の電気的な装置。
【請求項１４】
接触部材（７）の、第２の支持部分（２）に配置された区分（２８）が少なくとも部分的に、第２の支持部分（２）に固定された絶縁材料製保持部分（８）内に埋め込まれている請求項１から１３のいずれか１項記載の電気的な装置。
【請求項１５】
接触部材（７）の、第２の支持部分（２）に配置された区分（２８）が、回路部分（６）に対して平行に曲げられて絶縁材料製保持部分（８）内に埋め込まれた脚部（２８）を有しており、この場合、脚部（２８）の絶縁材料で被覆されていない部分（２７）が少なくとも１つのボンディングワイヤ（１８）を介して回路部分（６）に電気的に接続されている請求項１４記載の電気的な装置。
【請求項１６】
第２の支持部分（２）が金属製の支持プレートとして形成されている請求項１４又は１５記載の電気的な装置。
【請求項１７】
絶縁材料製保持部分（８）が支持プレートの、第１の支持部分（１）へ向けられた側の凹設部（２１）内に配置されている請求項１６記載の電気的な装置。
【発明の詳細な説明】
【０００１】
【発明の属する技術分野】
本発明は、請求項１の上位概念に記載の形式の電気的な装置、殊に制御装置に関する。
【０００２】
【従来の技術】
前記形式の装置は例えばイギリス国特許第２３１９８９７Ａ号明細書により公知であり、この場合、自動車内に液力成分の制御のために設けられた電気的な装置が、電気的な構成部材のための２つの支持部分を備えている。プラスチックから成るプレート状の第１の支持部分に、弁の制御のためのマグネットコイルの形の電気的な大きな構成部材並びにストリップ状の金属製の導体部材を配置してあり、導体部材がマグネットコイル並びに第１の支持部分に配置されたコネクタの接触部材に接続されている。第２の支持部分の受容部内に、電気的若しくは電子的な構成部材の実装された基板の形の電子的な回路部分が配置されている。第１の支持部分に配置されたコネクタのピン状の接触部材が、第２の支持部分の切欠きを貫通して、基板の第１の支持部分と逆の側の接続部にろう付けされている。
【０００３】
前記公知の装置においては欠点として、特に製造費が著しく高い。さらに、コネクタの接触部材が第１の支持部分の導体部材に電気的に接続されねばならない。次いで第２の支持部分が、基板の備えられた第１の支持部分内に差し込まれる。この場合、ピン状の鋭敏な接触部材が第２の支持部分の切欠き及び基板の小さい孔を通されねばならず、このことは支持部分間の正確な整合を必要とすることになる。さらに、支持部分がねじによって互いに機械的に結合されねばならない。次いでろう付けプロセスが、コネクタの接触部材と基板とを電気的に接続するために必要である。
【０００４】
【発明の効果】
電気的な装置の請求項１に記載の本発明の構成に基づき、電気的な装置の２つの支持部分をクランプ結合部若しくは差込結合部によって互いに機械的にも電気的にも結合することが可能であり、この場合、両方の支持部分に配置された構成部材間の電気的な接触（接続）を行うための費用のかかる付加的な処置、例えばろう付け若しくは溶着が省略されて有利である。このために本発明に基づく電気的な装置においては、接触部材が第２の支持部分に固定されていて、かつ第１の支持部分の支持壁に対して垂直な方向に直接に第１の支持部分の導体部材に、クランプ接触若しくは締め付け接触によって電気的及び機械的に接続可能である。例えばケーシング部分として形成されていてよい支持体部分の組立中に、同時に電気的な接触を行うと有利である。
【０００５】
本発明の有利な実施態様が請求項２以下に記載してある。
【０００６】
クランプ接点が導体部材にも接触部材にも形成されていてよいものの、有利には接触部材の、導体部材へ向かって延びる区分が、導体部材に垂直に被せはめ可能なクランプ接点を有している。これによって利点として、導体部材が例えば簡単かつ経済的に製造可能な金属製の格子状打ち抜き加工品として製造できる。装置の組立に際して、第２の支持部分に配置されてクランプ接点を有する接触部材が、第２の支持部分の装着によって格子状打ち抜き加工品に押しはめられる。有利な実施例では、クランプ接点が、２つのクランプ脚部で以てフォーク状に形成されており、両方のクランプ脚部間の間隔が導体部材の、該クランプ脚部と摩擦力結合すべき接触区分の幅よりもわずかに小さく規定されている。クランプ接点は、該クランプ接点を導体部材の前記接触区分に被せはめ、即ち押しはめる際に塑性変形するように構成されていてよく、これによって一面では気密の接触が達成され、かつ他面では接触面が拡大される。その結果、接触箇所の腐食が効果的に避けられ、かつ接触抵抗が小さくなる。
【０００７】
さらに有利な実施例では第１の支持部分の、導体部材を備える支持壁が切欠きを有しており、該切欠き内に、接触部材の、支持壁若しくは導体部材へ向かって延びる区分が、導体部材の接触区分との接触のために差し込まれるようになっている。切欠きが有利には案内を形成していてよく、該案内が接触部材の、前記切欠き内に差し込まれた区分を側方から取り囲んで、これによって接触部材が導体部材の長手方向でのずれ、即ち移動に対して確実に保持されるようになっている。その結果、接触部材と導体部材との間の相対運動（該運動は電気的な接続の機能を損なう）が確実に避けられる。
【０００８】
第１の支持部分の導体部材への接触部材の被せはめに際して大きなプレス力を加え得るようにするために、有利には切欠きが、導体部材に対して平行に延びる横ウエブを備えており、導体部材の接触区分が横ウエブの、第２の支持部分へ向けられた側に接触している。
【０００９】
プラスチックから成っていて支持壁を備える第１の支持部分が、格子状打ち抜き加工部分若しくは格子状打ち抜き加工品として形成された導体部材を内部に一緒に埋め込まれて成る射出成形品として経済的に製造されていてよく、この場合、導体部材の接触区分がプラスチックから成る被覆を少なくとも部分的に除かれており、即ち露出している。
【００１０】
コンパクトで扁平な構造が、電気的若しくは電子的な構成部材を、支持壁の、第２の支持部分と逆の側に配置することによって達成される。従って、第１の支持部分の支持壁によって空間的に分離された互いに平行な２つの平面内への電気的若しくは電子的な構成部材と回路部分との配置が可能である。有利には第１の支持部分が支持壁の、第２の支持部分と逆の側に第１の受容部を有しており、該受容部に電気的若しくは電子的な構成部材が配置されている。第１の受容部内に、例えば重いコンデンサー、コイル、抵抗器及び分離した電気的な構成エレメントが安定的にかつ振動防止して配置されていてよい。
【００１１】
電子的な回路部分、例えば電気的若しくは電子的な構成部材の実装された基板若しくはセラミックサブストレート（ハイブリッド）若しくは、マイクロプロセッサ、出力トランジスタ及び別の構成エレメントの実装された任意の別の支持サブストレートが、第２の支持部分の、第１の支持部分へ向けられた側に配置されていてよい。第２の支持部分が、回路部分から生じる熱の熱導出にも役立つ金属プレートとして形成されていてもよい。
【００１２】
第２の支持部分が第１の支持部分に載置されるようになっていると有利であり、これによって、電子的な回路部分を収容する閉じたケーシング内室が形成される。従って、第１の支持部分への第２の支持部分の取り付け並びにケーシング組立が電気的な接続に役立つ。形成されたケーシング内室が、第１の支持部分と第２の支持部分との間に配置されたシールによって外部に対して密閉されてよい。
【００１３】
接触部材の、第２の支持部分に配置された区分が少なくとも部分的に、第２の支持部分に固定された絶縁材料製保持部分内に埋め込まれていてよい。この場合第２の支持部分が、例えば冷却体として役立つ金属プレートであってよい。
【００１４】
接触部材の、第２の支持部分に配置された区分がそれぞれ、回路部分に対して平行に曲げられて絶縁材料製保持部分内に埋め込まれた脚部を有していると有利であり、この場合、脚部の絶縁材料で被覆されていない部分が少なくとも１つのボンディングワイヤを介して回路部分に電気的に接続されている。
【００１５】
【発明の実施の形態】
図１には電気的な装置、例えば自動車内に取り付けられる種々の車両機能の制御のための電子制御装置の実施例が示してある。該装置は第１の支持部分１を有しており、該支持部分がプラスチックから成る射出成形品として形成されている。第１の支持部分１は支持壁４、該支持壁の一方の側から突出する環状の第１の側壁１１及び他方の側から突出する環状の第２の側壁１２を有している。環状の第１の側壁１１が支持壁４と協働して、電気的若しくは電子的な構成部材３のための第１の受容部２０を形成しており、該受容部がカバー部分９を用いて、若しくは別の適当な構成部分への装着によって閉鎖され、その結果、閉じたケーシング内室が生じる。
【００１６】
支持壁４内に、グリッド状打ち抜き加工品若しくは格子状打ち抜き加工品として形成された金属性の導体部材５を埋め込んであり、該導体部材が支持壁４に対してほぼ平行に延びており、このことは導体部材の折り曲げられた端部区分１５が支持壁４から支持壁４の平面を越えて構成部材３に向かって突出していることを排除するものではない。導体部材５は、電気的／電子的な構成部材３間相互の電気的な接続、並びに該構成部材と回路部分６との接続のために役立っていて、打ち抜き加工品から成る挿入体として構成されている。第１の支持部分１の製造に際して、導体部材５が射出成形金型内に装着されて、接触区分１５，５′を除いて絶縁性のプラスチックで取り囲まれる。導体部材５を支持壁４に接着するか、若しくは加熱によって溶かし込むか、若しくは別の形式で支持壁４に配置することも可能である。電気的／電子的な構成部材３が重いコンデンサー、抵抗器、トランジスター若しくは別の構成エレメントを含んでおり、これらの構成部分の接触部１３が導体部材５の接触区分１５に電気的に、例えば溶着によって接続されている。
【００１７】
電気的な装置はさらに第２の支持部分２を有しており、該支持部分に電子的な回路部分６が配置されている。電子的な回路部分６として例えば、電気的／電子的な構成部材１６の実装された基板、若しくはセラミックサブストレート（ハイブリッド）若しくは、電気的／電子的な構成部材の実装された別の任意のサブストレートが設けられていてよい。第２の支持部分２が実質的に金属プレートとして形成されていて、回路部分６の備えられる側に切欠き若しくは凹設部２１を有しており、該凹設部内に絶縁材料製保持部８が収容されており、該絶縁材料製保持部を介して接触部材７が第２の支持部分２に配置されている。接触部材（接点部材）７が、第１の支持部分１の支持壁４に向かって突出する区分１７及び、該区分から直角に折り曲げられて第２の支持部分２及び該支持部分上の回路部分６に対して平行に延びる区分２８を有しており、該平行に延びる区分が部分的に絶縁材料製保持部８内に埋め込まれている。脚部２８の、絶縁材料で覆われていない部分２７がそれぞれボンディングワイヤ１８を介して回路部分６に電気的に接続されている。接触部材７が回路部分６と導体部材５との間の電気的な接続のために用いられている。
【００１８】
特に図２から明らかなように、接触部材７の、第１の支持部分１の支持壁４に向けられた区分１７が、互いに平行な２つの脚部１７によって形成されたフォーク状のクランプ接点を備えている。脚部間の間隔が、導体部材５の接触区分５′の幅よりもわずかに小さく規定されており、該接触区分に脚部が摩擦接続的に結合可能、即ちクランプ接触可能である。
【００１９】
導体部材と接触部材との接続のために、支持壁４が切欠き１４を有しており、該切欠きを介して導体部材５の接触区分５′がアクセス可能である。第１の支持部分１上に第２の支持部分２を載設することによって、接触部材の脚部１７が切欠き１４内に入り込む。この場合、支持壁４の切欠き１４の、第２の支持部分２に向いている側のロート状の縁部４１が、脚部１７の差込を容易にするために役立っている。それぞれ２つの脚部１７が１つの切欠き１４の内壁によって案内されかつ、接触区分５′への引き続く被せはめに際して滑動して、押し広げられて、接触区分５′を取り囲んで、該脚部間に該接触区分を堅く締め付ける。接触区分５′へのクランプ脚部１７の被せはめを容易にするために、クランプ脚部の端部が面取り部２９を有している。接触区分５′が横ウエブ４０に支えられており、横ウエブが切欠き１４を支持壁４の、第２の支持部分２と逆の側で橋絡している。両方の支持部分を互いに圧着する際に、図２に示してあるように、力Ｆが加えられ、これによって脚部１７が接触区分５′に沿って滑動して、該接触区分を脚部間に締め付けて摩擦接続する。横ウエブ４０が、押しはめ力Ｆを著しく大きく設定することを可能にしており、その結果、全体的に極めて大きなクランプ力（締め付け力）を加えることができる。有利には、クランプ脚部１７が被せはめに際して力Ｆによって塑性変形させられ、その結果、クランプ脚部１７は導体部材５の接触区分５′に気密に接触している。両方の支持部分１，２が互いに押し合わされて、第２の支持部分２が環状の側壁１２に接触しており、その結果、閉じたケーシング内室２２が形成されており、該ケーシング内室内に回路部分６が配置されている。第１の支持部分１の側壁１２と第２の支持部分２との間の環状のシール１９がケーシング内室２２を外部に対して密閉していて、かつ機械的な接合部の安定性を高めている。
【００２０】
図１及び図２から明らかなように、切欠き１４の内壁が脚部１７を包囲していて、脚部の、導体部材５に沿った移動、即ちずれを許さないようになっている。第１の支持部分１と接触部材７との間の、電気的な接続を損なうことになる相対運動が、切欠き１４の形状によって防止される。
【図面の簡単な説明】
【図１】本発明に基づく電気的な装置の部分断面図。
【図２】図１のＩＩ−ＩＩ線に沿った断面図。
【符号の説明】
１，２  支持部分、  ３  構成部材、  ４  支持壁、  ５  導体部材、  ５′接触区分、  ６  回路部分、  ７  接触部材、  ８  絶縁材料製保持部、  １１，１２  側壁、  １３  接触部、  １４  切欠き、  １５  端部区分、  １６構成部材、  １７  区分、  １８  ボンディングワイヤ、  １９  シール、  ２１  凹設部、  ２２  ケーシング内室、  ２７  部分、  ２８  区分、  ２９面取り部、  ４０  横ウエブ
【図１】
0004520687.tif 000002
【図２】
0004520687.tif 000003